(57)【要約】【課題】本発明の目的は、単体で使用するための機能や形状を備えつつ、複数の椅子を組み合わせて使用するための形状を備えた椅子を提供することである。【解決手段】椅子（１０）は、縁の一部に水平方向に突出した凸部（１１ａ）と水平方向に窪んだ凹部（１１ｂ）の形状を有した座面（１１）を備えている。凹部（１１ｂ）は、凸部（１１ａ）がぴったり嵌まる形状である、【選択図】図３
2019030609.tif 000002
【特許請求の範囲】
【請求項１】
座面の側面の一部に、水平方向に突出した凸部と水平方向に窪んだ凹部の形状を有し、
前記凹部は、前記凸部がぴったり嵌まる形状である、
ことを特徴とする椅子。
【請求項２】
請求項１に記載の椅子であって、
前記座面の側面の一部に、二つの前記凸部の形状を有している、
ことを特徴とする椅子。
【請求項３】
請求項１または請求項２に記載の椅子であって、
前記座面の側面の一部に、二つの前記凹部の形状を有している、
ことを特徴とする椅子。
【発明の詳細な説明】
【技術分野】
【０００１】
本発明は、椅子に関する。
【背景技術】
【０００２】
従来、一般的な形状とは異なる形状を備えた椅子が知られている（例えば、特許文献１〜３）。
【先行技術文献】
【特許文献】
【０００３】
【特許文献１】特開２００９−１１２３８１号公報
【特許文献２】特開２００８−０２３０９５号公報
【特許文献３】特開２０１４−１２４１９２号公報
【発明の概要】
【発明が解決しようとする課題】
【０００４】
しかし、特許文献１〜３に示す椅子では、単体で使用するための機能や形状を備えているものの、複数の椅子を組み合わせて使用するための機能や形状を備えていない。
【０００５】
本発明の目的は、単体で使用するための機能や形状を備えつつ、複数の椅子を組み合わせて使用するための形状を備えた椅子を提供することである。
【課題を解決するための手段】
【０００６】
上記目的は、座面（１１）の側面の一部に、水平方向に突出した凸部（１１ａ）と水平方向に窪んだ凹部（１１ｂ）の形状を有し、前記凹部（１１ａ）は、前記凸部（１１ｂ）がぴったり嵌まる形状である、ことを特徴とする椅子（１０）によって達成される。
【０００７】
また、上記目的は、前記座面（１１）の側面の一部に、二つの前記凸部（１１ａ）の形状を有している、ことを特徴とする、上記に記載の椅子（１０）によっても達成される。
【０００８】
また、上記目的は、前記座面（１１）の側面の一部に、二つの前記凹部（１１ｂ）の形状を有している、ことを特徴とする、上記に記載の椅子（１０）によって達成される。
【発明の効果】
【０００９】
本発明によれば、単体で使用するための機能や形状を備えつつ、複数個の椅子を組み合わせて使用するための形状を備えた椅子を提供することができる。
【図面の簡単な説明】
【００１０】
【図１】本発明の第一の実施形態による椅子１０の六面図である。
【図２】本発明の第一の実施形態による椅子１０の斜視図である。
【図３】本発明の第一の実施形態による椅子１０を複数組み合わせた使用例を説明する図である。
【図４】本発明の第二の実施形態による椅子２０及び第三の実施形態による椅子３０を複数組み合わせた使用例を説明する図である。
【図５】本発明の第四の実施形態による椅子４０の六面図である。
【図６】本発明の第五の実施形態による椅子５０の六面図である。
【発明を実施するための形態】
【００１１】
以下、図１〜図４を用いて、本発明の実施形態による椅子１０、２０、３０を説明する。なお、以下の全ての図面においては、理解を容易にするため、各構成要素の寸法や比率などは適宜異ならせて図示している場合がある。
【００１２】
図１〜図３を用いて、本発明の第一の実施形態による椅子１０を説明する。図１は、椅子１０の六面図であり、図２は、椅子１０を右斜め上から見た斜視図である。また、図３は、椅子１０を３個組み合わせた状態を略中央斜め上から見た斜視図である。
【００１３】
図１（ａ）は、椅子１０の正面図であり、図１（ｂ）は、椅子１０の背面図であり、図１（ｃ）は、椅子１０の平面図であり、図１（ｄ）は、椅子１０の裏面図であり、図１（ｅ）は、椅子１０の右側面図であり、図１（ｆ）は、椅子１０の左側面図である。
【００１４】
図１に示す椅子１０は、木材で形成された座面１１と金属製の材質で形成された脚（１２ａ、１２ｂ、１２ｃ）と脚（１２ａ、１２ｂ、１２ｃ）を座面１１に取り付けるための金属製の材質で形成された取付部１３と脚（１２ａ、１２ｂ、１２ｃ）を安定させるための金属製の材質で形成された補強部１４とで構成されている。
【００１５】
図１（ｃ）に示すように、木材で形成された座面１１はジグソーパズルのピースを模した形状である。座面１１の左側面と右側面には、水平方向に突出した凸部１１ａが形成されている。また、座面１１の前面と背面には、水平方向に窪んだ凹部１１ｂが形成されている。凹部１１ｂの形状は、凹部１１ｂに凸部１１ａがぴったり嵌まるように形成されている。
【００１６】
図３は、３脚の椅子１０を組み合わせて使用した例である。図３は、左側の椅子１０の右側の凸部１１ａを真中の椅子１０の左側の凹部１１ｂに嵌めこみ、右側の椅子１０の左側の凸部１１ａを真中の椅子１０の右側の凹部１１ｂに嵌めこんだ状態を示している。このように、本発明の第一の実施形態による椅子１０は、凸部１１ａと凹部１１ｂを有した座面１１を備えているため、３脚の椅子１０を一列に繋げて安定させることが可能である。また、３脚の椅子１０の組み合わせを変えることで、“かぎかっこ状”に繋げて安定させることも可能である。また、椅子１０は、２つの凸部１１ａと２つの凹部１１ｂを備える構成であるため、複数の椅子１０は、用途に合せて様々な形状に組み合わせることが可能である。
【００１７】
図４（ａ）を用いて、本発明の第二の実施形態による椅子２０を説明する。図４（ａ）は、４脚の椅子２０を組み合わせた状態の平面図である。図４（ａ）に示すように、４脚の椅子２０用いることで、正方形状に組み合わせることができる。
【００１８】
図４（ｂ）を用いて、本発明の第二の実施形態による椅子２０と第三の実施形態による椅子３０を説明する。図４（ｂ）は、４脚の椅子２０と６脚の椅子３０を組み合わせた状態の平面図である。図４（ｂ）に示すように、４脚の椅子２０と６脚の椅子３０を用いることで、口の字状に組み合わせることができる。
【００１９】
このように、本発明の実施形態による椅子を用いることで、単体の椅子として使用可能であると伴に、複数の椅子を様々な形状に組み合わせることができ、様々な用途に用いることが可能となる。例えば、本発明の実施形態による椅子を一列に繋げることで長椅子として用いてもよいし、長方形状に繋げることで、テーブルやベッドとして用いてもよい。
【００２０】
図５を用いて、本発明の第四の実施形態による椅子４０を説明する。図５は、椅子４０の六面図である。図５（ａ）は、椅子４０の正面図であり、図５（ｂ）は、椅子４０の背面図であり、図５（ｃ）は、椅子４０の平面図であり、図５（ｄ）は、椅子４０の裏面図であり、図５（ｅ）は、椅子４０の右側面図であり、図５（ｆ）は、椅子４０の左側面図である。
【００２１】
図５に示す椅子４０は、木材で形成された座面４１と木材で形成された４個の脚４２と４個の脚４２を座面４１に取り付けるための木材で形成された取付部とで構成されている。座面４１は、複数の板を水平方向に並べて接着させた合板によって形成されている。座面４１を構成する合板は、２種類の色彩の異なる板が互い違いに配置されてもよいし、３種類以上の色彩の異なる板が互い違いに配置されてもよい。このように色見の異なる板が互い違いに配置された合板を座面４１に用いることで、ストライブ状の模様が形成される。図５（ｃ）、（ｄ）に示す座面４１のストライブ状の線は、色彩の異なる板同士の貼合せ部分を表している。
【００２２】
図６を用いて、本発明の第五の実施形態による椅子５０を説明する。図６は、椅子５０の六面図である。図６（ａ）は、椅子５０の正面図であり、図６（ｂ）は、椅子５０の背面図であり、図６（ｃ）は、椅子５０の平面図であり、図６（ｄ）は、椅子５０の裏面図であり、図６（ｅ）は、椅子５０の右側面図であり、図６（ｆ）は、椅子５０の左側面図である。図６に示す椅子５０は、木材で形成された座面１１と木材で形成された４個の脚５２とで構成されている。
【００２３】
上述の実施形態は、本発明の好適な一例であるので、技術的に好ましい種々の限定が付されているが、本発明の範囲は、上述の説明によって不当に限定されるものではない。また、上述の実施形態で説明される構成の全てが本発明の必須の構成要件ではない。また、上述の実施形態で説明される構成は相互に付け足したり組み合わせたりしてもよい。
【００２４】
本発明は、あらゆる椅子やテーブル等においても適用可能である。
【産業上の利用可能性】
【００２５】
本発明は、椅子において広く利用可能である。
【符号の説明】
【００２６】
１０、２０、３０、４０、５０  椅子
１１、４１  座面
１１ａ  凸部
１１ｂ  凹部
１２ａ、１２ｂ、１２ｃ、４２、５２  脚
１３  取付部
１４  補強部
【図１】
2019030609.tif 000003
【図２】
2019030609.tif 000004
【図３】
2019030609.tif 000005
【図４】
2019030609.tif 000006
【図５】
2019030609.tif 000007
【図６】
2019030609.tif 000008